(57)【要約】      （修正有）【課題】データ（ファイル）とそのデータに係る文字情報を対応付けて記録媒体に記録し再生する際に、その文字情報が文字数が多くその文字情報を全て表示する必要がある場合にはその文字情報を表示することができ且つ文字情報からデータを検索する際には簡便短時間で行なうことが可能なデータ記録装置及びデータ再生装置を提供する。【解決手段】データ記録・再生装置１において、短い文字情報である短いファイルネームと長い文字情報である長いファイルネームをペアにして当該ファイル（データ）に対応付けて書込むための書込み手段８と、読み出し手段であるＤＳＰ５及び制御手段６を備えて構成し、短いファイルネームに基づいて所望のファイルを検索し得る構成にした。【選択図】図１
2007034422.tif 000002
【特許請求の範囲】
【請求項１】
装置本体に備えられ、入力されるデータを記録媒体に記録するためのデータ記録手段と、そのデータ記録手段によって記録媒体にデータを記録する場合に、そのデータに係る文字情報を当該データと対応して書込むための書込み手段が備えられ、
上記書込み手段が、文字数が一定文字数以下の第１の文字情報と、文字数が前記一定文字数を越える第２の文字情報を作成し、それら第１の文字情報及び第２の文字情報を当該データに対応付けて同一記録媒体に記録し得るように構成されたデータ記録装置。
【請求項２】
データとそのデータに係る文字情報が対応付けられて記録された記録媒体からそれらデータと文字情報を再生する再生手段と、その再生手段によって再生される文字情報を表示する表示手段が備えられ、
一のデータに対して文字情報が、文字数が一定文字数以下の第１の文字情報と文字数が前記一定文字数を越える第２の文字情報である場合に、それら第１の文字情報及び第２の文字情報を選択的に上記表示手段に表示させ得るように構成したデータ再生装置。
【発明の詳細な説明】
【技術分野】
【０００１】
この発明は記録媒体にデータを記録するデータ記録装置に関し、記録媒体にデータを記録する際に、そのデータに係る文字情報、例えばファイルネーム、データの作成日、音楽データの場合では作曲家、作詞家、歌手等の名前等を当該データに対応付けて記録させ得るデータ記録装置及び記録媒体から前記データを再生するデータ再生装置に関する。
【背景技術】
【０００２】
記録媒体にデータの記録を行う場合に、記録すべきデータがその記録媒体と同じ容量であったり、記録すべきデータについてファイルの数が少ない場合は、各ファイルをより明確に特定する必要性が低いことから、当該データに係る文字情報は少なくても問題は生じ難い。
しかしながら、一つの記録媒体に数多くのデータをファイル毎に記録する場合では、その記録媒体にどのようなデータを記録させたのかを知りたい場合、その記録媒体から所望のデータを再生する際にその所望のデータを読出す場合等には、該当するデータのファイルを簡単に短時間で特定され得る必要が生じる。
【０００３】
そこで、データが記録されたファイルがそれぞれ特定され得るためには、ファイルを作成する前後等において当該ファイルに係る文字情報を作成し、当該ファイルとそれに対応して作成した文字情報を対応付けて記録する方法が採用されている。
このようにすることによって、ファイルに係る文字情報、例えばファイル名を対応して書込んでおいた場合には、再生時に数多くあるファイルの中から目的とする所望のファイル名を見付け出したり表示させることによって、目的のファイルを簡単に短時間で読出し見付けることが可能になるという利便性が得られている。
【０００４】
他方、今日では、ユーザーの要望と技術の進歩によって記録媒体の容量が増大して記録できるデータの量が大幅に増加したため、一つの記録媒体により数多くのファイルを記録することが可能になっている。又、ユーザーは、より数多くのファイルを記録するようになって来ている。
記録媒体へデータの記録が行なわれ、一つの記録媒体にデータを記録することによってファイルの数が多くなって行くと、ファイルと共にそのファイルに係る文字情報（ファイル名等）を記録し、必要に応じてそのファイルに係る文字情報を読出せる構成にしておかなければ、データの管理が煩雑になり、容量の大きい記録媒体を上手に活用できないという問題も生じて来ている。
【０００５】
そこで、記録媒体に、記録すべきデータと、そのデータに係るファイルネーム等のデータの文字情報を対応付けて記録し、各ファイルの内容を簡単に知る技術として、以下の公報で開示されている。
【０００６】
【特許文献１】特開２００２−１１７６５６号公報
【発明の開示】
【発明が解決しようとする課題】
【０００７】
特開２００２−１１７６５６号公報で開示されている「情報編集方法およびその装置」には、特定のデータ（ファイル）に、これに係る文字情報（ファイルネーム等）が対応付けて記録することが示されている。
又、特開２００５−２６８５０号公報においては、ファイルネーム等の文字情報に書き加え等が可能な編集可能な技術も示されている。
【０００８】
さて、上述したように、記録媒体の記録容量が増大しているので、一つの記録媒体に多数のデータが記録され、その記録されたデータのファイルをそれぞれ特定するためにはファイルネームが長くなったり、そのファイルに係る文字情報に多くの文字が使用されることになる場合が多い。
つまり、記録されるデータに、数十文字或いは百文字以上の文字情報を対応付けて記録し、当該データ（ファイル）を特定することになる。
【０００９】
しかしながら、データに係る文字情報が数十文字或いは百文字以上である場合には、その文字情報が長いために、例えはそれがファイルネームの場合であってファイルネームから所望のファイルを探す場合には、ファイルネームが全くない場合に比しては短時間でその所望のファイルを探すことは可能であるが、ファイルネームを一つずつ確認していくには意外と多くの時間を必要とするという問題が出て来る。
殊に、例えばクラッシック音楽の曲目のように、似たようなファイルネーム同士では最後までよく読み採らないと別なファイルを選択することになる。
【００１０】
他方、ファイルネーム等の文字情報は、データ（ファイル）によって数文字から十数文字で十分である場合もある。
つまり、そのデータを特定するために、他のファイルネームと明確に異なった言葉で構成される場合には、短い文字情報であってもそのデータを特定することは可能である。
【００１１】
又、今日の電気機器、電子機器等では、殆どの表示パネルが液晶表示の方法が採られている。液晶表示装置の製造技術が向上し、液晶表示装置は大型化して来ている。
しかし、データ記録装置の装置本体がコンパクト化されて来ており、データ記録装置の多機能性を有していることから操作釦類が多くなっている。
このために、具備すべき液晶表示パネルの大きさにも限度があり、結果的に、ファイルネーム等の文字情報の表示の大きさに限度が生じる。又、表示内容が表示パネルの一面で表示し切れない場合には、表示内容をスクロールで表示させる構成も考えられるが、文字数の多いファイルに係る情報は読み取りに手間取るという問題は残る。
【００１２】
この発明は、上記の事情に鑑みてなされたものであって、データを記録する際に、そのデータについて文字情報を作成し対応付けて記録する際に、文字情報を可能な場合には文字数が少なくすることで読取りを簡便にさせ、文字情報の文字数が多く且つその文字情報を全て表示する必要がある場合にはその文字情報を表示し得るように、文字情報の使い分けを可能にするデータ記録装置及びデータ再生装置を提供するものである。
【課題を解決するための手段】
【００１３】
この発明は、一のデータに対して、文字数の少ない第１の文字情報と文字数の多い第２の文字情報を共に対応付けて記録し、再生時に、前記第１の文字情報と第２の文字情報を選択的に表示するように構成したデータ記録装置及びデータ再生装置である。
【００１４】
その詳細な第１の構成は、装置本体に備えられ、入力されるデータを記録媒体に記録するためのデータ記録手段と、そのデータ記録手段によって記録媒体にデータを記録する場合に、そのデータに係る文字情報を当該データと対応して書込むための書込み手段が備えられ、上記書込み手段が、文字数が一定文字数以下の第１の文字情報と、文字数が前記一定文字数を越える第２の文字情報を作成し、それら第１の文字情報及び第２の文字情報を当該データに対応付けて同一記録媒体に記録し得るように構成されたデータ記録装置である。
【００１５】
斯かる構成のデータ記録装置は、一のデータに対して、文字数が一定文字数以下の第１の文字情報と文字数が前記一定文字数を越える第２の文字情報を共に対応付けて、同一の記録媒体に記録することができる。
【００１６】
その詳細な第２の構成は、データとそのデータに係る文字情報が対応付けられて記録された記録媒体からそれらデータと文字情報を再生する再生手段と、その再生手段によって再生される文字情報を表示する表示手段が備えられ、一のデータに対して文字情報が、文字数が一定文字数以下の第１の文字情報と文字数が前記一定文字数を越える第２の文字情報である場合に、それら第１の文字情報及び第２の文字情報を選択的に上記表示手段に表示させ得るように構成したデータ再生装置である。
【００１７】
斯かる構成のデータ再生装置では、上記構成のデータ記録装置によって記録された一のデータを再生すると、その一のデータに対して、文字数が一定文字数以下の第１の文字情報と文字数が前記一定文字数を越える第２の文字情報を共に対応付けて再生することができ、且つ、第１の文字情報と第２の文字情報を選択的に表示することができる。
【００１８】
ここで、文字数が一定文字数以下の第１の文字情報と文字数が前記一定文字数を越える第２の文字情報について、説明する。
記録すべき文字情報が例えばファイルネームＡであって、ファイルネームＡは文字数が２００文字を越える長いものであり、他方、ファイルネームＢも文字数が同じく２００文字を越える長いものであって、且つ、末尾部分で両ファイルネームが互いに異なってる場合においては、ファイルネームＡとファイルネームＢを特定する際に、使用者は共にファイルネームの全てを表示して読み取ることでファイルネームＡとファイルネームＢを特定することができ、この特定によって、所望のファイル（データ）を得ることができる。
【００１９】
しかしながら、ファイルネームＡとファイルネームＢとの特定の仕方は残りの全てのファイルネームについて当て嵌まるわけではないから、残りの全てのファイルネームとの差異が簡単に判るようにするには文字数の少ない短いファイルネームで対応することも可能である。
そこで、互いに相紛れる可能性のファイルネームが複数ある場合には、一のデータに対して、他と相紛れることがなく確実に特定し得る文字数の多い長いファイルネームと、他と近似していて相紛れても構わなく寧ろ使用者がそのファイルを簡単に認識し易い文字数の少ない短いファイルネームを共に対応付けて記録媒体に記録する。
【００２０】
そして、記録媒体を再生した際は、短いファイルネームを表示させ、所望のファイルに係る短いファイルネーム及びそれと近似の短いファイルネームのグループを所望するファイルネームの候補として挙げる。
続いて、その候補に挙げた短いファイルネームに対応する長いファイルネームを順次表示させて行く。
ここで、使用者は、候補の長いファイルネームのみを読み取ることによって、所望のファイルネームを他のファイルネームから特定することができ、よって、求めているファイル（データ）を特定することになる。
【００２１】
つまり、この発明のデータ記録装置及びデータ再生装置を用いると、短いファイルネームによって所望しているファイルの候補を絞り込み、その候補のペアとなっている長いファイルネームを読み取ることによって求めるファイルを特定することを可能にするものである。
従って、文字数が一定文字数以下の第１の文字情報と文字数が前記一定文字数を越える第２の文字情報とは、所望しているファイル（データ）の候補を絞り込むことが可能な範囲の文字数であるか否かで決まるものであるから、適宜設定するのが望ましい。
【発明の効果】
【００２２】
第１の発明は、書込み手段が、一のデータに係って文字数が一定文字数以下の第１の文字情報と文字数が前記一定文字数を越える第２の文字情報を作成し、前記一のデータに対応付けて同一記録媒体に記録し得るように構成したことにより、データの検索上で目印となる文字数が一定文字数以下の第１の文字情報と、全ての文字表現が為されている文字文字数が前記一定文字数を越える第２の文字情報を共に同一データに対応付けて記録することが可能なデータ記録装置である。
【００２３】
第２の発明は、一のデータに係った文字数が一定文字数以下の第１の文字情報と文字数が前記一定文字数を越える第２の文字情報を選択的に表示手段に表示させ得るように構成したことにより、所望のデータを検索する際に第１の文字情報に基づいてその検索候補を短時間で簡便に絞込むことが可能であり、第２の文字情報によって前期一に係るデータの全て文字情報を知ることが可能なデータ再生装置である。
【発明を実施するための最良の形態】
【００２４】
この発明を、図面に示す最良の形態に基づき説明する。しかし、この形態によって、この発明が限定されるものではない。
データ記録・再生装置１は、マイクロフォン２と、アンプ３と、Ａ／Ｄ変換器４と、デジタル信号プロセッサ５（以下、「ＤＳＰ５」と称する）と、制御手段６と、メモリ手段であるバッファメモリ７と、書込み手段８と、Ｄ／Ａ変換器９と、アンプ１０と、スピーカ１１と、操作手段１２及び表示手段１３が備えられている。
尚、データ記録・再生装置１は、以下で詳述するが、データ記録装置及びデータ再生装置の二つの機能を持つ装置である。
又、１４は、記録媒体であって、具体的には、半導体メモリである。
【００２５】
マイクロフォン２は、記録対象データの音声を入力してアナログ信号に変換するものである。マイクロフォン２は、装置本体１５の上面に配設されている。
アンプ３は、マイクロフォン２の後段に接続され、マイクロフォン２からの音声データを示すアナログ信号のボリュームを所望の大きさに加工するものである。
【００２６】
Ａ／Ｄ変換器４は、アンプ３の後段に接続され、所望の大きさに加工されたアナログ信号を入力しデジタル信号に変換して出力するものである。
ＤＳＰ５は、制御手段６からの制御信号に基づいて、Ａ／Ｄ変換器４からのデジタル信号のデータを受取った際に、そのデータを記録媒体１４に記録するようにデータ記録手段手段として機能するものである。
又、ＤＳＰ５は、制御手段６からの制御信号に基づいて、記録媒体１４に記録されているデジタル信号のデータを再生してＤ／Ａ変換器９に送るようにデータ再生手段として機能するものである。
【００２７】
尚、Ａ／Ｄ変換器４及びＤ／Ａ変換器９とＤＳＰ５の間にはデジタルのデータ信号を送るためのバス１６が、ＤＳＰ５と制御手段６の間にはデジタルのデータ信号を送るためのバス１７が、ＤＳＰ５とバッファメモリ７の間にはデジタルのデータ信号を送るためのバス１８、バッファメモリ７と記録媒体１４の間にはデジタルのデータ信号を送るためのバス１９が、それぞれ介在されている。
バッファメモリ７は、ＤＳＰ５からのデータを一時的に記録するものである。
ＤＳＰ５からのデータは、バス１８を介してバッファメモリ７に送られ、一時的にバッファメモリ７に記録される。
【００２８】
書込み手段８は、データを記録する際に、３２文字の短い文字情報と２５６文字の長い文字情報をそれぞれ作成し、前記データと対応付けて記録媒体１４に書込むための手段である。
書込み手段８は、送信手段２０と、受信手段２１と、制御手段６と、ＤＳＰ５から主に構成されている。
送信手段２０は、装置本体１５とは別体に設けられ、書込むべき文字情報を入力して送信するものである。又、受信手段２１は、装置本体１５の内部に設けられ、送信手段２０からの文字情報を受信するものである。
【００２９】
送信手段２０は具体的に、移動体通信方式の一つであるＰＨＳの送受話器であって、一のデータに対して長短二つの文字情報を作成して送信する送受話器である。
つまり、ＰＨＳの送受話器であって文字情報送信機能を有する機種を、電話回線としてではなくトランシーバ・モードとして、文字情報の作成手段及び送信手段用に使用するものである。
【００３０】
送信手段２０は、本体の天面からアンテナ２２が突出の状態で配設され、本体の前面に操作釦類及び数字・文字の入力キー群を含む操作パネル２３、表示パネル２４、スピーカ音声の出力口２５、マイク用の音声取入れ口２６が配設されている。
尚、操作パネル２３におけるの操作釦類及び数字・文字の入力キー群の操作の仕方及び表示パネル２４おける表示のされ方は、通常のＰＨＳの送受話器と全く同じである。
【００３１】
受信手段２１は、装置本体１５に内設されている。
受信手段２１は、制御手段６に接続されており、送信手段２０から送られて来る長い文字と短い文字情報（データ）のペアを受信すると、ペアのままで制御手段６に送るように機能するものである。
制御手段６は、受信手段２１からペアの長短の文字情報を受取ると、その文字情報を内部メモリ（図示省略）に一時記録するように機能する。
【００３２】
ＤＳＰ５は、操作手段１２の操作に基づいて、制御手段６の前記内部メモリに一時記録された長い文字情報と短い文字情報をペアで受取ると、バッファメモリ７を介して関係するデータと対応付けて記録媒体１４にそのペアの文字情報を記録するように機能するものである。
【００３３】
操作手段１２は、データ記録・再生装置１の出力（機能）を操作するためのものであって、メイン電源スイッチ、ＲＥＣスイッチ等を含んで構成されている。
他方、表示手段１３は、データ記録装置・データ再生装置のその時点での各機能状態及びデータに係る文字情報を表示するものである。
表示手段１３は、装置本体１５の前面に液晶表示部（図示省略）を備えて構成されている。
【００３４】
データ記録・再生装置１は、上述したように構成されている。以下において、データ記録・再生装置１の使用を説明する。
使用者は、データ記録・再生装置１を携行し、人に対して警戒心の強い野鳥が棲息する山林に入る。
野鳥が出没する可能性の高い水場の近傍に、マイクロフォン２を前記水場の方向に向けた姿勢でデータ記録・再生装置１を設置し、操作手段１２を操作して、データ記録・再生装置１の記録機能を開始させる。
【００３５】
使用者は、続いて、前記状態のデータ記録・再生装置１を枝葉でカモフラージュし、物陰に隠れて野鳥の来るのを待機する。
ここで、野鳥が水場に集まって来て囀ると、データ記録・再生装置１は、マイクロフォン２が入力されて来る野鳥の囀り声（音声）をピックアップし、アナログ信号に変換してアンプ３に送る。
アンプ３は、マイクロフォン２からのアナログ信号を受取ると、その音量を所望の大きさに加工し、Ａ／Ｄ変換器４に送る。
【００３６】
Ａ／Ｄ変換器４は、アンプ３からの所望の大きさに加工されたアナログ信号を入力すると、デジタル信号に変換してバス１６に出力する。
ＤＳＰ５は、制御手段６からの制御信号に基づいてデータ記録手段として機能し、バス１６を介してのＡ／Ｄ変換器４からの野鳥の囀り声に係るデジタル信号を受取ると、バス１８を介してそのデジタル信号をバッファメモリ７に送る。
【００３７】
バッファメモリ７は、バス１８からのデジタル信号を所定順序で一時記録して行く。
つまり、バッファメモリ７は、ＤＳＰ５から送られて来るデジタル信号のデータを一時的に蓄えることになる。
次に、バッファメモリ７に一時記録されたデジタル信号のデータは、バス１９を介して記録媒体１４に送られる。
ここで、記録媒体１４は、バッファメモリ７からのデジタル信号のデータを所定順序で記録する。
【００３８】
この時、物陰に隠れている使用者も野鳥の囀りを聞き、又、その野鳥の姿を観察している。ここで、使用者は、囀っている野鳥の特徴を見て取ることができる。
このようにして、使用者は、野鳥の姿とその囀りについて特徴を把握し、必要に応じてメモをとる。
【００３９】
使用者は、野鳥が飛び立って後、データ記録・再生装置１の記録機能を停止させる。
そして、この時記録媒体１４に記録されている野鳥の囀りの音声データに対して、記憶と前記メモに基づき、この野鳥の囀りを採集した場所、日時、天候、野鳥の名前、観察で得られた外見の特徴を、送信手段２０の表示パネル２４を参照しながら操作パネル２３で作成することになる。
【００４０】
まず、使用者は前記水場を野鳥の定点観測地の一地点としているので、野鳥の囀りを採集した場所として地名と集音した年月日で記された文字数の少ない短いファイルネームを作成する。
尚、短いファイルネームは全く同じ内容になっては記録できないので、末尾に番号を付すことによって他と差異を与えて記録可能になる。
【００４１】
続いて、野鳥の囀りを採集した正確な地点、時刻、季節の感じと天候、野鳥の名前、観察で得られた外見の特徴が記された文字数の多い長いファイルネームを作成する。
ここで、使用者は、これら二つのペアを構成するファイルネームを表示パネル２４に表示させて文字情報の内容を確認した後、操作パネル２３を操作して装置本体内の受信手段２１に送信する。
受信手段２１は、前記音声データに係るペアの文字情報を受取ると、その文字情報（データ）を制御手段６に送る。
【００４２】
制御手段６は、前記ペアのファイルネームである文字情報（データ）を受取って前記内部メモリに一時記録する。
ここで、使用者が、操作手段１２から記録媒体１４に記録されている野鳥の囀りの音声データに対してそのデータに係る情報であって対応付けて記録するように操作すると、制御手段６は操作手段１２からの命令内容に基づき、前記内部メモリに前記文字情報を記録媒体１４に記録するように、ＤＳＰ５を制御する。
【００４３】
ＤＳＰ５は、制御手段６からの制御内容に従って、前記野鳥の囀りの音声データに係るペアの文字情報（長短のファイルネーム）を制御手段６から受取ると、前記野鳥の囀りの音声データに対応付けて記録媒体１４に記録する。
ここで、記録媒体１４は、前記野鳥の囀りの音声データとこれに係るペアの文字情報が対応付けられて記録されている。
【００４４】
使用者は、この後、更に、同じ日の別な時刻、別な日、他の観察地点等で、野鳥の囀りの集音・録音を続け、その録音つまり音声データの記録に対して、同様に、音声データに係るペアの文字情報（長短のファイルネーム）の対応付け記録を続けることができる。
この時、当該短いファイルネームにおいて、野鳥の囀りを採集した場所として地名と集音した年月日の表記は前のデータ記録と同じであるが、末尾の番号は異なっている。
又、当該長いファイルネームの内容は、時刻、天候、野鳥の種類等において、前のデータ記録に係る長いファイルネームと異なっている。
【００４５】
以下において、データ記録・再生装置１のデータの記録機能の作動について説明する。
使用者は、データ記録・再生装置１を、データ記録機能からデータの再生機能に切換えて作動させ、再生したいと所望する野鳥の囀り（データ）を特定するために、操作手段１２を操作して、データを特定するためにまず地名と年月日からなる短いファイルネームを表示手段１３に表示させる。
ここで、地名と年月日が所望しているファイルネームの内容に該当する複数のケースがピックアップされる。
【００４６】
続いて、地名と年月日が共通のそれら複数のファイルネームについて、操作手段１２を操作して、それぞれの長いファイルネームを表示させる。
ここで、地名と年月日が共通の短いファイルネームのファイルは、それぞれ長いファイルネーム、つまり、野鳥の囀りを採集した正確な地点、時刻、季節の感じと天候、野鳥の名前、観察で得られた外見の特徴を表示手段１３に表示されて行く。
使用者は、表示手段１３に表示されるそれらの長いファイルネームを目で追って、所望しているファイルを見付け出す。
【００４７】
ここで、使用者は、その見付け出されたファイルを選択してデータを再生するように操作手段１２から操作を行う。
続いて、データ記録・再生装置１は、制御手段６がＤＳＰ５に記録媒体１４から対応付けられたデータを再生するための制御信号を送る。
ＤＳＰ５は、制御手段６の制御信号に基づいて、バッファメモリ７を介して記録媒体１４から上述した手順で特定して見付け出した音声データを読出してバス１６に送る。
【００４８】
バス１６に送られた音声データは、Ｄ／Ａ変換器９に送られて、デジタル信号からアナログ信号に変換される。
そのアナログ信号は、アンプ１０に送られて所望のボリュームに増幅され、スピーカ１１に送られる。
所望のボリュームに増幅されたアナログ信号は、スピーカ１１で音声に変換され、使用者が所望する野鳥の囀りの音声となって出力される。
【００４９】
他方、表示手段１３はこの時、前記文字情報（長いファイルネーム）である野鳥の囀りを採集した正確な地点、時刻、季節の感じと天候、野鳥の名前、観察で得られた外見の特徴を表示し続けているので、使用者はこの表示内容を見ることによってより一層臨場感を得ることができ、又、集音時の様子を思い出すことができる。
上述したように、データ記録・再生装置１は、一のファイル（データ）に対して短いファイルネームと長いファイルネームを記録媒体１４に対応付けて記録し、且つ、再生することができるので、長いファイルネームであっても記録することが可能であって、且つ、所望するファイルを簡便に見付け出すことが可能になっている。
【００５０】
上述したデータ記録・再生装置１は、データ記録を行なう装置とデータ再生を行なう装置が一体化されているが、それぞれを別体の構成にしてもよい。
又、データ記録装置とデータ再生装置に別体に構成しても、データ記録装置は記録媒体１４に使用者にとって必要な情報である長いファイルネームとファイル（データ）を検索に追込むための短いファイルネームをファイルに対応付けて記録することが可能になっている。
【００５１】
他方、別体の構成のデータ再生装置においても、記録媒体１４から短いファイルネームと長いファイルネームを選択的に読み出すことが可能になっている。
使用者は、上述したデータ記録・再生装置１の使用では記録媒体として唯一の記録媒体１４を表記しているが、複数個の記録媒体を用意して使用することが可能であり、各記録媒体毎にファイル（データ）に短いファイルネームと長いファイルネームをファイルを対応付けて使用することができる。
【００５２】
この場合、ファイル検索に有用な短いファイルネームは、記録媒体毎にその最大文字数を適宜設定可能な構成とすることで、ファイル検索を効率よく行なうことができる。
尚、短いファイルネームの文字数は、所望しているファイル（データ）の候補を絞り込むことが可能な範囲の文字数であるか否かで決まるものであって、適宜設定するのが望ましい。
【００５３】
又、短いファイルネームは具体的に、ファイル内容が年月日や時刻に大きく意味を持つ場合にはその年月日時刻等を表す数字、ファイル内容が製品等に大きく意味を持つ場合には品番等で示し、単語、句等でなくても構わない。
上述したデータ記録・再生装置１の使用においては、書込み手段８を用いて送信手段２０から記録媒体１４に文字情報を書込むための操作をマイクロフォン２からの音声の採集の後、つまり、データの記録後に行なっている。
【００５４】
しかし、データ記録・再生装置１は、文字情報を制御手段６の前記内部メモリに記憶させる構成であることより、文字情報の書込みのための操作は、マイクロフォン２からの音声の採集の前、つまり、データの記録前であってもよく、更に、音声の採集の後に文字データを修正する構成であってもよい。
データ記録・再生装置１では、書込み手段８の送信手段２０をＰＨＳの送受話器で構成しているが、文字情報を送ることのできるトランシーバ、文字情報を送るように構成された専用の送信手段であってもよい。
【００５５】
又、送信手段２０はＰＨＳの送受話器であることにより、電波によって文字情報を送信手段２０から受信手段２１に送っているが、赤外線、ブルーツース、無線ＬＡＮ等を用いて文字情報を送る構成であってもよい。
更に、データ記録・再生装置１では、書込み手段８の送信手段２０から受信手段２１への信号の送信は電波つまり無線であるが、送信手段２０から受信手段２１への文字情報をケーブルによって送る構成であってもよく、記録媒体１４がＣＤ等である場合にはコンピュータを用いた編集による書込みであってもよい。
【００５６】
データ記録・再生装置１は、ファイル（データ）が野鳥の囀りであるから、二つのファイルネームは野鳥の囀りを集音・収録した場所、日時、天候、野鳥の名前、観察で得られた外見の特徴を示す内容で記録しているが、記録するデータに対応して所望通りの文字情報を記録するのが良い。
【００５７】
データ記録・再生装置１では記録媒体１４として半導体メモリを使用しているが、他の記録媒体、例えばＣＤ、ＣＤにＣＰＵを付加して制御機能を有する記録媒体等であってもよい。この場合、データ記録手段及び再生手段は、使用する記録媒体に対応させて、適宜対応する手段である構成となる。
【００５８】
又、データ記録・再生装置１は記録の対象を音声データとしているが、映像データであってもよく、更には、映像と音声の複合したデータであってもよい。
記録すべき対象が映像、映像と音声の複合である場合、文字情報はインデックスとして使用することも可能である。
【図面の簡単な説明】
【００５９】
【図１】この発明の最良の実施の一形態において、記録媒体を接続している際の構成を説明するブロック図である。
【図２】図１に示す形態の外観を示す斜視図である。
【符号の説明】
【００６０】
１      ：データ記録・再生装置（データ記録装置で且つデータ再生装置）
５      ：デジタル信号プロセッサ（ＤＳＰ、データ記録手段で且つデータ再生手段）
６      ：制御手段
８      ：書込み手段
１２    ：操作手段
１３    ：表示手段
１４    ：記録媒体
１５    ：装置本体
２０    ：送信手段
２１    ：受信手段
２３    ：操作パネル
２４    ：表示パネル
【図１】
2007034422.tif 000003
【図２】
2007034422.tif 000004